【手続補正書】
【提出日】平成17年9月7日(2005.9.7)
【手続補正１】
【補正対象書類名】明細書
【補正対象項目名】発明の名称
【補正方法】変更
【補正の内容】
【発明の名称】コードイメージ記録装置及びコードイメージ記録方法
【手続補正２】
【補正対象書類名】明細書
【補正対象項目名】特許請求の範囲
【補正方法】変更
【補正の内容】
【特許請求の範囲】
【請求項１】  情報を入力する情報入力手段と、
前記情報入力手段で入力された情報をコードデータ化して所定のフォーマットに従ったコードイメージに変換するコードイメージ変換手段と、
前記コードイメージを印刷記録する印刷媒体を所定の方向に搬送する媒体搬送手段と、
前記コードイメージ変換手段で変換されたコードイメージを、前記媒体搬送手段により搬送される印刷媒体の搬送方向に沿って前記印刷媒体上に光学的読み取り可能に印刷して記録する記録手段と、
を具備するコードイメージ記録装置において、
前記コードイメージ変換手段は、前記印刷媒体の搬送方向に沿って、前記印刷記録されるコードイメージを複数の分割コードイメージに分割するコードイメージ分割手段を含み、
前記コードイメージ分割手段によって分割された分割コードイメージの全てが、前記記録手段により印刷記録されたことを検出して報知する報知手段を更に具備することを特徴とするコードイメージ記録装置。
【請求項２】  前記報知手段は、前記記録手段による前記分割コードイメージの印刷記録状況を表示する表示手段を含むことを特徴とする請求項１に記載のコードイメージ記録装置。
【請求項３】  前記分割コードイメージの印刷記録状況が、当該全ての分割コードイメージの印刷記録完了乃至は印刷記録された分割コードイメージ数の何れかであることを特徴とする請求項２に記載のコードイメージ記録装置。
【請求項４】  情報を入力する情報入力手段と、
前記情報入力手段で入力された情報をコードデータ化して所定のフォーマットに従ったコードイメージに変換するコードイメージ変換手段と、
前記コードイメージを印刷記録する印刷媒体を所定の方向に搬送する媒体搬送手段と、
前記コードイメージ変換手段で変換されたコードイメージを、前記媒体搬送手段により搬送される印刷媒体の搬送方向に沿って前記印刷媒体上に光学的読み取り可能に印刷して記録する記録手段と、
を具備するコードイメージ記録装置において、
前記コードイメージ変換手段は、前記印刷媒体の搬送方向に沿って、前記印刷記録されるコードイメージを複数の分割コードイメージに分割するコードイメージ分割手段を含み、
前記コードイメージ分割手段によって分割された分割コードイメージが前記記録手段により印刷記録されていることを検出して報知する報知手段を更に具備することを特徴とするコードイメージ記録装置。
【請求項５】  前記報知手段は、前記記録手段による前記分割コードイメージの印刷記録状況を表示する表示手段を含むことを特徴とする請求項４に記載のコードイメージ記録装置。
【請求項６】  前記分割コードイメージの印刷記録状況が、当該印刷記録された分割コードイメージ数であることを特徴とする請求項５に記載のコードイメージ記録装置。
【請求項７】  情報を入力する情報入力ステップと、
前記情報入力ステップで入力された情報をコードデータ化して所定のフォーマットに従ったコードイメージに変換するコードイメージ変換ステップと、
前記コードイメージ変換ステップで変換されたコードイメージを、媒体搬送手段により搬送される印刷媒体の搬送方向に沿って印刷媒体上に光学的読み取り可能に印刷して記録する記録ステップと、
を具備するコードイメージ記録方法において、
前記コードイメージ変換ステップは、前記印刷媒体の搬送方向に沿って、前記印刷記録されるコードイメージを複数の分割コードイメージに分割するコードイメージ分割ステップを含み、
前記コードイメージ分割ステップによって分割された分割コードイメージの全てが印刷記録されたことを検出して報知することを特徴とするコードイメージ記録方法。
【請求項８】  情報を入力する情報入力ステップと、
前記情報入力ステップで入力された情報をコードデータ化して所定のフォーマットに従ったコードイメージに変換するコードイメージ変換ステップと、
前記コードイメージ変換ステップで変換されたコードイメージを、媒体搬送手段により搬送される印刷媒体の搬送方向に沿って印刷媒体上に光学的読み取り可能に印刷して記録する記録ステップと、
を具備するコードイメージ記録方法において、
前記コードイメージ変換ステップは、前記印刷媒体の搬送方向に沿って、前記印刷記録されるコードイメージを複数の分割コードイメージに分割するコードイメージ分割ステップを含み、
前記コードイメージ分割ステップによって分割された分割コードイメージが印刷記録されていることを検出して報知することを特徴とするコードイメージ記録方法。
【手続補正３】
【補正対象書類名】明細書
【補正対象項目名】０００１
【補正方法】変更
【補正の内容】
【０００１】
【発明の属する技術分野】
本発明は、マイク等で入力された音声、或いは映像、テキストデータ等の情報を光学的に読み取り可能なコードイメージとして所定の印刷媒体上に印刷記録するようにしたコードイメージ記録装置及びコードイメージ記録方法に関する。
【手続補正４】
【補正対象書類名】明細書
【補正対象項目名】００１２
【補正方法】変更
【補正の内容】
【００１２】
本発明は上記した事情に鑑みなされたもので、分割コードイメージを印刷記録するタイプのコードイメージ記録装置における、不用意な印刷媒体の切断動作による紙詰まりを極力防止したコードイメージ記録装置及びコードイメージ記録方法を提供することを目的とする。
【手続補正５】
【補正対象書類名】明細書
【補正対象項目名】００１３
【補正方法】変更
【補正の内容】
【００１３】
【課題を解決するための手段】
上記の目的を達成するために、請求項１に記載の発明によるコードイメージ記録装置は、情報を入力する情報入力手段と、上記情報入力手段で入力された情報をコードデータ化して所定のフォーマットに従ったコードイメージに変換するコードイメージ変換手段と、上記コードイメージを印刷記録する印刷媒体を所定の方向に搬送する媒体搬送手段と、上記コードイメージ変換手段で変換されたコードイメージを、上記媒体搬送手段により搬送される印刷媒体の搬送方向に沿って上記印刷媒体上に光学的読み取り可能に印刷して記録する記録手段とを備えるものであって、
上記コードイメージ変換手段は、上記印刷媒体の搬送方向に沿って、上記印刷記録されるコードイメージを複数の分割コードイメージに分割するコードイメージ分割手段を含み、
上記コードイメージ分割手段によって分割された分割コードイメージの全てが、上記記録手段により印刷記録されたことを検出して報知する報知手段を更に具備することを特徴とする。
【手続補正６】
【補正対象書類名】明細書
【補正対象項目名】００１５
【補正方法】変更
【補正の内容】
【００１５】
また、請求項４に記載の発明によるコードイメージ記録装置は、情報を入力する情報入力手段と、上記情報入力手段で入力された情報をコードデータ化して所定のフォーマットに従ったコードイメージに変換するコードイメージ変換手段と、上記コードイメージを印刷記録する印刷媒体を所定の方向に搬送する媒体搬送手段と、上記コードイメージ変換手段で変換されたコードイメージを、上記媒体搬送手段により搬送される印刷媒体の搬送方向に沿って上記印刷媒体上に光学的読み取り可能に印刷して記録する記録手段とを備えるものであって、
上記コードイメージ変換手段は、上記印刷媒体の搬送方向に沿って、上記印刷記録されるコードイメージを複数の分割コードイメージに分割するコードイメージ分割手段を含み、
上記コードイメージ分割手段によって分割された分割コードイメージが上記記録手段により印刷記録されていることを検出して報知する報知手段を更に具備することを特徴とする。
【手続補正７】
【補正対象書類名】明細書
【補正対象項目名】００１７
【補正方法】変更
【補正の内容】
【００１７】
また、請求項７に記載の発明によるコードイメージ記録方法は、情報を入力する情報入力ステップと、上記情報入力ステップで入力された情報をコードデータ化して所定のフォーマットに従ったコードイメージに変換するコードイメージ変換ステップと、上記コードイメージ変換ステップで変換されたコードイメージを、媒体搬送手段により搬送される印刷媒体の搬送方向に沿って印刷媒体上に光学的読み取り可能に印刷して記録する記録ステップとを備えるものであって、
上記コードイメージ変換ステップは、上記印刷媒体の搬送方向に沿って、上記印刷記録されるコードイメージを複数の分割コードイメージに分割するコードイメージ分割ステップを含み、
上記コードイメージ分割ステップによって分割された分割コードイメージの全てが印刷記録されたことを検出して報知することを特徴とする。
【手続補正８】
【補正対象書類名】明細書
【補正対象項目名】００１８
【補正方法】変更
【補正の内容】
【００１８】
また、請求項８に記載の発明によるコードイメージ記録方法は、情報を入力する情報入力ステップと、上記情報入力ステップで入力された情報をコードデータ化して所定のフォーマットに従ったコードイメージに変換するコードイメージ変換ステップと、上記コードイメージ変換ステップで変換されたコードイメージを、媒体搬送手段により搬送される印刷媒体の搬送方向に沿って印刷媒体上に光学的読み取り可能に印刷して記録する記録ステップとを備えるものであって、
上記コードイメージ変換ステップは、上記印刷媒体の搬送方向に沿って、上記印刷記録されるコードイメージを複数の分割コードイメージに分割するコードイメージ分割ステップを含み、
上記コードイメージ分割ステップによって分割された分割コードイメージが印刷記録されていることを検出して報知することを特徴とする。
【手続補正９】
【補正対象書類名】明細書
【補正対象項目名】００９２
【補正方法】変更
【補正の内容】
【００９２】
【発明の効果】
以上詳述したように、本発明によれば、分割コードイメージを印刷記録するタイプのコードイメージ記録装置における、不用意な印刷媒体の切断動作による紙詰まりを極力防止したコードイメージ記録装置及びコードイメージ記録方法を提供することができる。